(57)【特許請求の範囲】
【請求項１】
２つの第１ロール接触部と前記２つの第１ロール接触部の間を接続する平板部で構成された加工材料を挟むように配置されることにより加工材料をその長手方向に沿って搬送可能であると共に、互いに平行な一対の第１の回転軸のそれぞれに保持された一対の第１の回転ロールと、
前記一対の第１の回転ロール間を搬送される加工材料の前記平板部に対向するように配置され、前記平板部の幅方向一部分を押圧可能であって、部前記第１の回転軸と直交する第２の回転軸に保持された第２の回転ロールと、
前記一対の第１の回転ロール間の距離が変化するように、前記一対の第１の回転軸の少なくともいずれか一方を移動させる第１の移動手段と、
前記第２の回転ロールが前記一対の第１の回転ロール間を搬送される加工材料と近接または離反する方向に移動するように、前記第２の回転軸を移動させる第２の移動手段と、
前記一対の第１の回転軸を回転駆動する駆動手段と、
前記駆動手段、前記第１の移動手段及び前記第２の移動手段を制御する制御手段とを備えており、
前記制御手段は、
加工材料が前記一対の第１の回転ロールによって搬送されるように前記駆動手段を制御しつつ、
前記一対の第１の回転ロール間の距離が狭くなるように前記第１の移動手段を制御すると同時に、
前記第２の回転ロールが加工材料と近接する方向に移動し、前記平板部の幅方向一部分が前記第２の回転ロールで押圧されて前記第２の回転ロールの移動方向に突出した形状に変形する状態が生じるように前記第２の移動手段を制御することを特徴とするロール成形装置。
【請求項２】
前記制御手段は、
加工材料が前記一対の第１の回転ロールによって搬送されるように前記駆動手段を制御しつつ、
前記一対の第１の回転ロール間の距離が広くなるように前記第１の移動手段を制御すると同時に、
前記第２の回転ロールが加工材料から離反する方向に移動し、前記平板部の前記第２の回転ロールに押圧されることによる変形量が減少するように前記第２の移動手段を制御することを特徴とする請求項１に記載のロール成形装置。
【請求項３】
前記第２の回転ロールを複数備えていることを特徴とする請求項１または２に記載のロール成形装置。
【請求項４】
２つの第１ロール接触部と前記２つの第１ロール接触部の間を接続する平板部で構成された加工材料が、互いに平行な一対の第１の回転軸のそれぞれに保持された一対の第１の回転ロール間で挟まれて搬送される状態で、
前記一対の第１の回転ロール間の距離が狭くなるように前記一対の第１の回転軸の少なくともいずれか一方を移動させると同時に、
前記一対の第１の回転ロール間を搬送される加工材料の前記平板部に対向するように配置された第２の回転ロールが、加工材料と近接する方向に移動し、前記平板部の幅方向一部分が前記第２の回転ロールで押圧されて前記第２の回転ロールの移動方向に突出した形状に変形する状態が生じるように前記第２の回転軸を移動させることを特徴とするロール成形方法。
【請求項５】
前記加工材料が搬送される状態で、
前記一対の第１の回転ロール間の距離が広くなるように前記一対の第１の回転軸の少なくともいずれか一方を移動させると同時に、
前記第２の回転ロールが加工材料から離反する方向に移動し、前記平板部の前記第２の回転ロールに押圧されることによる変形量が減少するように前記第２の回転軸を移動させることを特徴とする請求項４に記載のロール成形方法。
【請求項６】
２つの第１ロール接触部と前記２つの第１ロール接触部の間を接続する平板部で構成された加工材料が、互いに平行な一対の第１の回転軸のそれぞれに保持された一対の第１の回転ロール間で挟まれて搬送される状態で、
前記一対の第１の回転ロール間の距離が狭くなるように前記一対の第１の回転軸の少なくともいずれか一方を移動させると同時に、
前記一対の第１の回転ロール間を搬送される加工材料の前記平板部に対向するように配置された第２の回転ロールが、加工材料と近接する方向に移動し、前記平板部の幅方向一部分が前記第２の回転ロールで押圧されて前記第２の回転ロールの移動方向に突出した形状に変形する状態が生じるように前記第２の回転軸を移動させることを特徴とするロール成形方法で成形されたロール成形部品。 
【発明の詳細な説明】
【技術分野】
【０００１】
本発明は、ロール成形によってロール成形部品を製造するロール成形装置、ロール成形方法に関するものである。
【背景技術】
【０００２】
近年、自動車に対する安全や環境に関わる社会的な要請から、自動車メーカーでは自動車ボディの強化や軽量化が進められており、従来の薄板材料よりもさらに高強度の材料の実用化に取り組んだり、比重の軽い材料への置換が行われている。しかし、従来の材料よりも強度が高まった場合には、その加工性は強度に反比例して低下するために割れ限界が低下したり、成形に必要な加工力が大きくなるために従来よりも能力の大きい加工機が必要になるという問題が発生する。また、割れることなく成形が行われた場合でも、成形後の材料の弾性回復減少により部品の寸法精度が悪いという問題も発生する。このような問題が高強度材料の実用化の拡大の妨げになっている。
【０００３】
そこで、これらの問題を解消するための加工技術上の対策としては、部品形状のストレート化により割れの発生を防ぐ方法や、ストレート化された部品を主に曲げ成形で加工することにより加工力を低減する方法等がある。また、部品の曲げ成形に関しては、従来から金属薄板の加工に広く用いられているプレス装置を活用した方法以外に、ロール成形（ロールフォーミング）を活用した方法があり、バンパービーム等の均一断面部品の製造に活用されている。例えば、特許文献１には、異形管の製造方法が記載されている。この製造方法では、管軸方向に垂直な断面が褶曲した管壁を有する異形管を製造可能である。
【特許文献１】特開２０００−１０２８２０号公報（図３）
【発明の開示】
【発明が解決しようとする課題】
【０００４】
しかしながら、従来のロール成形を活用した方法では、その製造方法に関わる制約により長手方向に関して同一断面を有するロール成形部品しか製造することができないため、設計の自由度が狭くなってしまう。また、従来の方法では、部品の性能とは関係なく、長手方向に関して同一断面になるので、部品の軽量化を図るのが困難である。
【０００５】
そこで、本発明の目的は、長手方向に関して同一断面を有しないロール成形部品を製造するロール成形装置及びロール成形方法を提供することである。
【課題を解決するための手段および発明の効果】
【０００６】
本発明のロール成形装置は、２つの第１ロール接触部と前記２つの第１ロール接触部の間を接続する平板部で構成された加工材料を挟むように配置されることにより加工材料をその長手方向に沿って搬送可能であると共に、互いに平行な一対の第１の回転軸のそれぞれに保持された一対の第１の回転ロールと、前記一対の第１の回転ロール間を搬送される加工材料の前記平板部に対向するように配置され、前記平板部の幅方向一部分を押圧可能であって、前記第１の回転軸と直交する第２の回転軸に保持された第２の回転ロールと、前記一対の第１の回転ロール間の距離が変化するように、前記一対の第１の回転軸の少なくともいずれか一方を移動させる第１の移動手段と、前記第２の回転ロールが前記一対の第１の回転ロール間を搬送される加工材料と近接または離反する方向に移動するように、前記第２の回転軸を移動させる第２の移動手段と、前記一対の第１の回転軸を回転駆動する駆動手段と、前記駆動手段、前記第１の移動手段及び前記第２の移動手段を制御する制御手段とを備えており、前記制御手段は、加工材料が前記一対の第１の回転ロールによって搬送されるように前記駆動手段を制御しつつ、前記一対の第１の回転ロール間の距離が狭くなるように前記第１の移動手段を制御すると同時に、前記第２の回転ロールが加工材料と近接する方向に移動し、前記平板部の幅方向一部分が前記第２の回転ロールで押圧されて前記第２の回転ロールの移動方向に突出した形状に変形する状態が生じるように前記第２の移動手段を制御する。
【０００７】
本発明のロール成形方法は、２つの第１ロール接触部と前記２つの第１ロール接触部の間を接続する平板部で構成された加工材料が、互いに平行な一対の第１の回転軸のそれぞれに保持された一対の第１の回転ロール間で挟まれて搬送される状態で、前記一対の第１の回転ロール間の距離が狭くなるように前記一対の第１の回転軸の少なくともいずれか一方を移動させると同時に、前記一対の第１の回転ロール間を搬送される加工材料の前記平板部に対向するように配置された第２の回転ロールが、加工材料と近接する方向に移動し、前記平板部の幅方向一部分が前記第２の回転ロールで押圧されて前記第２の回転ロールの移動方向に突出した形状に変形する状態が生じるように前記第２の回転軸を移動させるものである。 
【０００８】
この構成によると、加工材料の一部が一対の第１の回転ロール間を搬送されているときに、一対の第１の回転ロール間の距離を変化させることにより、加工材料の幅を適宜変更することができる。そのため、長手方向に関して同一断面を有するロール成形部品だけでなく、長手方向に関して同一断面を有しない（長手方向に関して場所によって異なる断面を有する）ロール成形部品を製造することができる。従って、設計の自由度が大きくなると共に、部品の軽量化を容易に図ることが可能になる。
【０００９】
また、加工材料の一部が一対の第１の回転ロール間を搬送されているときに、一対の第１の回転ロール間の距離を狭くすると共に、第２の回転ロールで加工材料を押圧することにより、一対の第１の回転ロール間の距離の減少分と同じ長さだけ加工材料を局部的に変形させつつ、一対の第１の回転ロール間を搬送される加工材料の幅を狭くすることができる。これにより、加工材料の幅が狭くなることにより加工材料が破断するのを防止することができる。また、一対の第１の回転ロール間の距離の変化分と第２の回転ロールによる加工材料の局部的な変形量とを同じにすることで、長手方向に関する全ての断面における材料長さ（断面線長）を一定にすることが可能になり、加工材料の厚さの変動を抑制することができる。 
【００１３】
本発明のロール成形装置において、前記制御手段は、加工材料が前記一対の第１の回転ロールによって搬送されるように前記駆動手段を制御しつつ、前記一対の第１の回転ロール間の距離が広くなるように前記第１の移動手段を制御すると同時に、前記第２の回転ロールが加工材料から離反する方向に移動し、前記平板部の前記第２の回転ロールに押圧されることによる変形量が減少するように前記第２の移動手段を制御してもよい。 
【００１４】
本発明のロール成形方法において、前記加工材料が搬送される状態で、前記一対の第１の回転ロール間の距離が広くなるように前記一対の第１の回転軸の少なくともいずれか一方を移動させると同時に、前記第２の回転ロールが加工材料から離反する方向に移動し、前記平板部の前記第２の回転ロールに押圧されることによる変形量が減少するように前記第２の回転軸を移動させてもよい。
【００１５】
この構成によると、一対の第１の回転ロール間の距離が狭くなった状態で、その間を加工材料が搬送されているときに、一対の第１の回転ロール間の距離を広くすると共に、第２の回転ロールを加工材料から離反する方向に移動させることにより一対の第１の回転ロール間の距離の増加分と同じ長さだけ加工材料の局部的な変形量を減少させつつ、一対の第１の回転ロール間を搬送される加工材料の幅を広くすることができる。従って、加工材料の厚さの変動を効果的に抑制することができる。
【００１６】
本発明のロール成形装置において、前記第２の回転ロールを複数備えていてもよい。
【００１７】
この構成によると、複数の第２の回転ロールで加工材料を押圧することにより加工材料を局部的に変形させることで、第２の回転軸の移動量を少なくできる。
【００１８】
本発明のロール成形部品は、２つの第１ロール接触部と前記２つの第１ロール接触部の間を接続する平板部で構成された加工材料が、互いに平行な一対の第１の回転軸のそれぞれに保持された一対の第１の回転ロール間で挟まれて搬送される状態で、前記一対の第１の回転ロール間の距離が狭くなるように前記一対の第１の回転軸の少なくともいずれか一方を移動させると同時に、前記一対の第１の回転ロール間を搬送される加工材料の前記平板部に対向するように配置された第２の回転ロールが、加工材料と近接する方向に移動し、前記平板部の幅方向一部分が前記第２の回転ロールで押圧されて前記第２の回転ロールの移動方向に突出した形状に変形する状態が生じるように前記第２の回転軸を移動させることを特徴とするロール成形方法で成形されたものである。
【発明を実施するための最良の形態】
【００１９】
以下、本発明の好適な実施の形態について、図面を参照しつつ説明する。図１は、本発明の第１の実施の形態に係るロール成形装置の概略構成を示す図である。図２は、図１のロール成形装置に含まれる第２成形部の詳細な構成を示す図である。図３は、図１のロール成形装置の制御ブロックの一部である。
【００２０】
図１に示すロール成形装置１は、加工材料として外部から供給される平板の金属薄板に対し折り曲げ成形を行う第１成形部１０と、溶接を行う溶接部２０と、溶接後の金属薄板５の幅を拡縮可能な第２成形部３０と、金属薄板５を所定長さで切断する切断部４０とを備えている。金属薄板５は、例えば板厚１．６ｍｍ、降伏強さ７５０ＭＰａ、引張り強さ１３００ＭＰａの冷延鋼板である。
【００２１】
第１成形部１０には、複数の成形スタンド１５（１）〜１５（ｎ）（但し、ｎは任意の整数）が設けられている。複数の成形スタンド１５（１）〜１５（ｎ）は、金属薄板５の搬送経路に沿って配置されている。成形スタンド１５（１）には、コイル状に巻かれた平板の金属薄板５が巻き解かれつつ、その先端から順に供給される。すると、平板の金属薄板５が成形スタンド１５（１）〜１５（ｎ）を通過する過程で、２本のチューブ構造（図４参照）が形成されるように折り曲げられる。そのため、各成形スタンド１５（１）〜１５（ｎ）には、平板の金属薄板５から２本のチューブ構造が形成されるように、それぞれ所定角度で配置された一対の回転ロール（図示しない）が設けられている。
【００２２】
そして、溶接部２０では、第１成形部１０の成形スタンド１５（ｎ）を通過するまでに２本のチューブ構造が形成されるように折り曲げられた金属薄板５に対する溶接が行われる。つまり、溶接部２０では、折り曲げられた金属薄板５の端部とそれに対向する部分とが溶接される。従って、溶接部２０から排出される金属薄板５は、図４に示すように、２本のチューブ構造を有し且つ長手方向に関して同一断面を有する状態になる。図４では、２本のチューブ構造が形成されるように折り曲げられた金属薄板５の一部分５’が図示されている。
【００２３】
第２成形部３０には、図２に示すように、金属薄板５の搬送経路（図２では破線で囲まれる部分の紙面に垂直方向が搬送経路である）を挟むように配置されることにより金属薄板５をその長手方向に沿って搬送可能であると共に、互いに平行な一対の回転軸３１ａ、３２ａのそれぞれに保持された一対の回転ロール３１、３２と、一対の回転ロール３１、３２間において搬送経路に対向するように配置されると共に、回転軸３１ａ、３２ａと直交する回転軸３５ａに保持された回転ロール３５とが設けられている。ここで、本実施の形態では、一対の回転軸３１ａ、３２ａは鉛直方向に沿って配置されていると共に、一対の回転ロール３１、３２は略円柱形状である。一方、回転軸３５ａは水平方向に沿って配置されており、回転ロール３５を回転自在に保持している。また、回転ロール３５は、回転軸３５ａから離れるのにしたがって厚さが薄くなり、外周面が鋭角に尖った形状をしている。
【００２４】
また、第２成形部３０は、一対の回転ロール３１、３２間の距離が変化するように、一対の回転軸３１ａ、３２ａを移動させる移動機構３７（図３参照）と、回転ロール３５が一対の回転ロール３１、３２間を搬送される金属薄板５に近接または離反する方向に移動するように、回転軸３５ａを移動させる移動機構３８（図３参照）とを備えている。ここで、本実施の形態では、移動機構３７は、金属薄板５の搬送経路の幅方向中心位置に対して互いに対称となる位置に配置されるように、一対の回転軸３１ａ、３２ａを水平方向に移動させる。また、移動機構３８は、回転軸３５ａを上下方向に移動させる。
【００２５】
ここで、回転軸３１ａ、３２ａは、モータ３１ｂ、３２ｂ（図３参照）に接続されている。そのため、ロール成形装置１の制御部５０でモータ３１ｂ、３２ｂが制御されると、回転軸３１ａ、３２ａが回転駆動され、それに伴って、回転ロール３１、３２が回転する。従って、回転ロール３１、３２の外周面を金属薄板５の側面に当接させることによって、回転ロール３１、３２によって金属薄板５を搬送可能である。
【００２６】
次に、第２成形部３０において金属薄板５の幅が拡縮される際の動作について、図５を参照して説明する。図５は、第２成形部において金属薄板の幅が拡縮される際の動作を説明するための図である。
【００２７】
図５（ａ）は、第２成形部３０の一対の回転ロール３１、３２間を、２本のチューブ構造を有し且つ長手方向に関して同一断面を有する金属薄板５が搬送されている状態を示している。つまり、図４のように２本のチューブ構造が形成されるように折り曲げられた金属薄板５に対し、溶接が行われた後で、第２成形部３０に供給された状態である。このとき、一対の回転ロール３１、３２間の距離は、第１成形部１０及び溶接部２０から排出された状態の金属薄板５の幅とほぼ同じである。また、回転ロール３５は、一対の回転ロール３１、３２間を搬送される金属薄板５の底面とは接触しない状態になっている。
【００２８】
そして、金属薄板５の幅を狭くする場合には、図５（ｂ）に示すように、一対の回転ロール３１、３２間の距離が狭くなるように、一対の回転軸３１ａ、３２ａを互いに近接するように移動させる。このとき、一対の回転軸３１ａ、３２ａが移動するのと同時に、回転ロール３５が一対の回転ロール３１、３２間を搬送される金属薄板５の底面を局部的に変形させるように、回転軸３５ａを上方に移動させる。すると、金属薄板５の底面には、一対の回転ロール３１、３２間の距離の減少分と同じ長さの三角形状の突出部５ａが形成される。
【００２９】
引き続き、金属薄板５の幅を狭くする場合には、図５（ｃ）に示すように、一対の回転ロール３１、３２間の距離がさらに狭くなるように、一対の回転軸３１ａ、３２ａを互いに近接するように移動させると同時に、金属薄板５の底面の局部的な変形量が増加するように、回転軸３５ａを上方に移動させる。すると、金属薄板５の底面の突出部の高さが高くなる。つまり、金属薄板５の底面には、一対の回転ロール３１、３２間の距離の減少分（図５（ａ）で示す金属薄板５の底面が局部的に変形する前からの一対の回転ロール３１、３２間の距離の減少分）と同じ長さの突出部５ｂが形成される。
【００３０】
一方、金属薄板５の幅が狭い状態から幅を広くする場合には、上述とは反対に、一対の回転ロール３１、３２間の距離が広くなるように、一対の回転軸３１ａ、３２ａを互いに離反するように移動させると同時に、金属薄板５の底面の局部的な変形量が減少するように、回転軸３５ａを下方に移動させる。すると、金属薄板５の底面の突出部の高さが低くなる。そして、金属薄板５の幅を元の幅まで広くなると、金属薄板５の底面には突出部は形成されなくなる。
【００３１】
このように、ロール成形装置１の制御部５０では、第２成形部３０の回転ロール３１、３２及び回転ロール３５の位置を制御することにより、長尺の金属薄板５の幅を適宜変更できる。ここで、図６（ａ）は一対の回転ロール３１、３２間の距離の変化を示し、図６（ｂ）は金属薄板５の底面に形成される突出部の高さの変化を示している。本実施の形態では、図６（ａ）及び図６（ｂ）に示すように、一対の回転ロール３１、３２間の距離が狭くなる場合には、その減少分に対応した高さだけ、金属薄板５の底面に形成される突出部の高さが高くなる。一方、一対の回転ロール３１、３２間の距離が広くなる場合には、その増加分に対応した高さだけ、金属薄板５の底面に形成される突出部の高さが低くなる。
【００３２】
つまり、長尺の金属薄板５が第２成形部３０を搬送される場合に、図６（ａ）及び図６（ｂ）に対応した動作が行われるように、回転ロール３１、３２及び回転ロール３５が移動すると、長尺の金属薄板５の幅の変化は図６（ｃ）のようになる。
【００３３】
そして、図６（ｃ）において、Ａ線に沿って長尺の金属薄板５が切断されると、図７に示すようなロール成形部品６０が完成する。図７のロール成形部品６０では、２本のチューブ構造を有しており、その一端部から他端部に向かって次第に幅が広くなっている。
【００３４】
また、図６（ｃ）において、Ｂ線に沿って長尺の金属薄板５が切断されると、図８に示すようなロール成形部品６１が完成する。図８のロール成形部品６１では、２本のチューブ構造を有しており、その一端部から他端部に向かって次第に幅が広くなった後で、再度、幅が狭くなっている。
【００３５】
また、図６（ｃ）において、Ｃ線に沿って長尺の金属薄板５が切断されると、図９に示すようなロール成形部品６２が完成する。図９のロール成形部品６２では、２本のチューブ構造を有しており、その一端部から他端部に向かって次第に幅が狭くなった後で、再度、幅が広くなっている。
【００３６】
以上説明したように、本実施の形態に係るロール成形装置１では、長尺の金属薄板５の一部が一対回転ロール３１、３２間を搬送されているときに、一対の回転ロール３１、３２間の距離を変化させることにより、金属薄板５の幅を適宜変更することができる。そのため、長手方向に関して同一断面を有するロール成形部品だけでなく、長手方向に関して同一断面を有しないロール成形部品を製造することができる。従って、設計の自由度が大きくなると共に、部品の軽量化を容易に図ることが可能になる。
【００３７】
また、金属薄板５の幅が変更される場合に、回転ロール３５を一対の回転ロール３１、３２間を搬送される金属薄板５と近接または離反する方向に移動させることができる。そのため、一対の回転ロール３１、３２間を搬送される金属薄板５を局部的に適宜変形させることが可能となり、金属薄板５の幅が狭くなることにより加工材料が破断するのを防止することができる。また、一対の回転ロール３１、３２間の距離の変化分と回転ロール３５による金属薄板５の局部的な変形量とを同じにすることで、長手方向に関する全ての断面における材料長さを一定にすることが可能になり、金属薄板５の厚さの変動を抑制することができる。
【００３８】
次に、本発明の第２の実施の形態について、図面を参照して説明する。図１０は、本発明の第２の実施の形態に係るロール成形装置の概略構成を示す図である。
【００３９】
第２の実施の形態に係るロール成形装置１０１が、第１の実施の形態に係るロール成形装置１と大きく異なる点は、ロール成形装置１の第１成形部１０では、２本のチューブ構造が形成されるように金属薄板５が折り曲げられるのに対し、ロール成形装置１０１の第１成形部１１０では、略コの字状に金属薄板５が折り曲げられる点である。なお、その他の構成は第１の実施の形態と同様であるので、同一の符号を付して詳細な説明は省略する。
【００４０】
図１０に示すロール成形装置１０１は、加工材料として外部から供給される平板の金属薄板に対し折り曲げ成形を行う第１成形部１１０と、金属薄板５の幅を拡縮可能な第２成形部１３０と、金属薄板５を所定長さで切断する切断部１４０とを備えている。なお、ロール成形装置１０１では溶接は行われない。
【００４１】
第１成形部１１０には、複数の成形スタンド１１５（１）〜１１５（ｎ）（但し、ｎは任意の整数）が設けられている。複数の成形スタンド１１５（１）〜１１５（ｎ）は、金属薄板５の搬送経路に沿って配置されている。成形スタンド１１５（１）には、コイル状に巻かれた平板の金属薄板５が巻き解かれつつ、その先端から順に供給される。すると、平板の金属薄板５が成形スタンド１１５（１）〜１１５（ｎ）を通過する過程で、略コの字状に（図１１参照）折り曲げられる。そのため、各成形スタンド１１５（１）〜１１５（ｎ）には、平板の金属薄板５から略コの字状に折り曲げられるように、それぞれ所定角度で配置された一対の回転ロール（図示しない）が設けられている。従って、第１成形部１１０から排出される金属薄板５は、図１１に示すように、略コの字状であり且つ長手方向に関して同一断面を有する状態になる。図１１では、略コの字状に折り曲げられた金属薄板５の一部分５’’が図示されている。
【００４２】
本実施の形態の第２成形部１３０及び切断部１４０の構成は、第１の実施の形態の第２成形部３０及び切断部４０の構成と同じである。
【００４３】
ここで、第１の実施の形態と同様に、ロール成形装置１０１の制御部５０では、第２成形部１３０の回転ロール３１、３２及び回転ロール３５の位置を制御することにより、長尺の金属薄板５の幅を適宜変更できる。そして、長尺の金属薄板５の幅が適宜変更され、所定位置で切断されることにより、図１２〜図１４に示すようなロール成形部品１６０〜１６２が完成する。
【００４４】
図１２のロール成形部品１６０では、略コの字状の断面を有しており、その一端部から他端部に向かって次第に幅が広くなっている。図１３のロール成形部品１６１では、略コの字状の断面を有しており、その一端部から他端部に向かって次第に幅が広くなった後で、再度、幅が狭くなっている。図１４のロール成形部品１６２では、略コの字状の断面を有しており、その一端部から他端部に向かって次第に幅が狭くなった後で、再度、幅が広くなっている。
【００４５】
以上説明したように、本実施の形態に係るロール成形装置１０１では、第１の実施の形態と同様の効果を得ることができる。
【００４６】
以上、本発明の好適な実施の形態について説明したが、本発明は上述の実施の形態に限られるものではなく、特許請求の範囲に記載した限りにおいて様々な設計変更が可能なものである。例えば、上述の実施の形態では、一対の回転ロール３１、３２の両方が互いに近接または離反するように移動可能であるが、一対の回転ロール３１、３２間の距離が変化すればよく、一対の回転ロール３１、３２のいずれか一方だけが移動可能であってもよい。
【００４７】
また、上述の実施の形態では、回転ロール３５が回転軸３５ａから離れるのにしたがって厚さが薄くなり外周面が鋭角に尖った形状をしているが、金属薄板５を押圧することにより金属薄板５を局部的に変形させることができれば、回転ロール３５の形状は変更可能である。従って、図１５（ａ）に示すように、回転ロール２３５が円柱状であり、金属薄板５の底面に四角状の突出部２０５ａを形成可能なものであってもよいし、図１５（ｂ）に示すように、回転ロール３３５が円板状であり且つ外周面が曲面になっており、金属薄板５の底面に略Ｕ形状の突出部３０５ａを形成可能なものであってもよい。
【００４８】
また、上述の実施の形態では、回転軸３５ａに保持された１個の回転ロール３５により金属薄板５の底面を局部的に変形させているが、回転軸３５ａが複数の回転ロールを保持しており、複数の回転ロールにより金属薄板５の底面を局部的に変形させてもよい。
【００４９】
また、上述の実施の形態では、ロール成形装置１は、金属薄板に対し折り曲げ成形を行う第１成形部１０と、溶接を行う溶接部２０と、溶接後の金属薄板５の幅を拡縮可能な第２成形部３０と、金属薄板５を所定長さで切断する切断部４０とを備えているが、少なくとも金属薄板５の幅を拡縮可能な第２成形部を備えているロール成形装置であれば、本発明の効果を得ることができる。つまり、溶接は、オンラインで行われることなく、オフラインでおこなわれてもよい。また、ロール成形装置１で、第１成形部１０と第２成形部２０との間で溶接を行う必要がない場合には、金属薄板５が溶接されることなく溶接部２０を通過してもよい。
【図面の簡単な説明】
【００５０】
【図１】本発明の第１の実施の形態に係るロール成形装置の概略構成を示す図である。
【図２】図１のロール成形装置に含まれる第２成形部の詳細な構成を示す図である。
【図３】図１のロール成形装置の制御ブロックの一部である。
【図４】２本のチューブ構造が形成されるように折り曲げられた金属薄板を示す図である。
【図５】第２成形部において金属薄板の幅が拡縮される際の動作を説明するための図である。
【図６】図６（ａ）は一対の回転ロール間の距離の変化を示し、図６（ｂ）は金属薄板の底面に形成される突出部の高さの変化を示し、図６（ｃ）は長尺の金属薄板の幅の変化を示す図である。
【図７】図１のロール成形装置で成形されたロール成形部品の一例を示す図である。
【図８】図１のロール成形装置で成形されたロール成形部品の一例を示す図である。
【図９】図１のロール成形装置で成形されたロール成形部品の一例を示す図である。
【図１０】本発明の第２の実施の形態に係るロール成形装置の概略構成を示す図である。
【図１１】略コの字状に折り曲げられた金属薄板を示す図である。
【図１２】図１０のロール成形装置で成形されたロール成形部品の一例を示す図である。
【図１３】図１０のロール成形装置で成形されたロール成形部品の一例を示す図である。
【図１４】図１０のロール成形装置で成形されたロール成形部品の一例を示す図である。
【図１５】金属薄板の底面に突出部を形成する回転ロールの形状の変形例を示す図である。
【符号の説明】
【００５１】
１、１０１  ロール成形装置
５  金属薄板
３１  回転ロール
３１ａ  回転軸
３２  回転ロール
３２ａ  回転軸
３５  回転ロール
３５ａ  回転軸
３７  移動機構
３８  移動機構
５０  制御部
６０〜６２、１６０〜１６２  ロール成形部品
【図１】
0004732055.tif 000002
【図２】
0004732055.tif 000003
【図３】
0004732055.tif 000004
【図４】
0004732055.tif 000005
【図５】
0004732055.tif 000006
【図６】
0004732055.tif 000007
【図７】
0004732055.tif 000008
【図８】
0004732055.tif 000009
【図９】
0004732055.tif 000010
【図１０】
0004732055.tif 000011
【図１１】
0004732055.tif 000012
【図１２】
0004732055.tif 000013
【図１３】
0004732055.tif 000014
【図１４】
0004732055.tif 000015
【図１５】
0004732055.tif 000016